(57)【要約】      （修正有）【課題】上下方向中央部位に主錠装置を、これよりも上下方向に偏倚した位置に副錠装置を備えた引き戸において、夏季のように大きな熱反りが引き戸に発生した場合の施錠が確実に行われながら、冬季のように熱反りが少ない場合において施錠時のガタツキを少なくする。【解決手段】両錠装置２４、２５を、施錠操作したときに鎌形状のラッチ２４ｂ、２５ｂが、枠体側に設けたラッチ受けのストライク２４ｄ、２５ｄに回り込むようにして係止するもので構成するにあたり、施錠姿勢のラッチ２４ｂ、２５ｂとストライク２４ｄ、２５ｄとのあいだの隙間を、主錠装置２４よりも副錠装置２５の方が小さくなるようにした。【選択図】図１０
2015175098.tif 000002
【特許請求の範囲】
【請求項１】
出入り口の枠体に取付けられる引き戸の上下方向中央部位に設けられる主錠装置と、該主錠装置に対して上下方向何れかに偏倚した位置に取付けられる副錠装置とを備えて構成される引き戸用の錠装置において、両錠装置を、施錠操作したときに鎌形状のラッチが、枠体側に設けたラッチ受けのストライクに回り込むようにして係止するもので構成するにあたり、施錠姿勢のラッチとストライクとのあいだの隙間を、主錠装置よりも副錠装置の方が小さくなるようにしたことを特徴とする引き戸における錠装置。
【請求項２】
主錠装置よりも副錠装置の方が小さくなる施錠姿勢のラッチとストライクとのあいだの隙間は、出入り口の出入り方向の隙間であることを特徴とする請求項１記載の引き戸における錠装置。
【請求項３】
主錠装置よりも副錠装置の方が小さくなる施錠姿勢のラッチとストライクとのあいだの隙間は、引き戸の移動方向の隙間であることを特徴とする請求項１または２記載の引き戸における錠装置。
【請求項４】
副錠装置のストライクのラッチ係止面に調整板を設けることで施錠姿勢のラッチとストライクとのあいだの隙間を、主錠装置よりも副錠装置の方が小さくなるようにしたことを特徴とする請求項３記載の引き戸における錠装置。
【発明の詳細な説明】
【技術分野】
【０００１】
本発明は、玄関等の出入り口に建て付けられる引き戸における錠装置の技術分野に関するものである。
【背景技術】
【０００２】
一般に、玄関等の出入り口に上吊り式の引き戸を建て付けることがあり、このようなものにおいて引き戸を閉鎖させた場合に、錠装置により施錠することがあり、このような錠装置の中には、操作体を操作することにより鎌形状をしたラッチが、開口枠側に設けたラッチ受けのストライクに回り込むように突出して嵌入係止するものがある。（例えば特許文献１参照）。
【先行技術文献】
【特許文献】
【０００３】
【特許文献１】特開２００７−２４７２０３号公報
【発明の概要】
【発明が解決しようとする課題】
【０００４】
このような引き戸の中には、引き戸の上下方向中央寄りに設ける主錠装置と、上下方向何れか一方に偏倚して設ける副錠装置とが設けられることがあるが、従来、これらの錠装置は何れも同じものを用いることになる。ところで引き戸は、屋外側面が太陽光線に直接晒されるような場合があり、このような場合、引き戸は屋外側面がより膨張し、この結果、引き戸の上下方向中央部が外側に反るような変形をすることになる。このような熱反りがあった場合でも前記錠装置が施錠できるようにする必要があり、このため施錠姿勢のラッチとストライクとのあいだの対向間の隙間を中央部分の熱反りに合わせて大きくしていたが、冬季のように引き戸中央部分の熱反りがあまりないような場合、前記隙間が大きいことで引き戸が開閉方向および出入り方向にガタついてしまうという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、出入り口の枠体に取付けられる引き戸の上下方向中央部位に設けられる主錠装置と、該主錠装置に対して上下方向何れかに偏倚した位置に取付けられる副錠装置とを備えて構成される引き戸用の錠装置において、両錠装置を、施錠操作したときに鎌形状のラッチが、枠体側に設けたラッチ受けのストライクに回り込むようにして係止するもので構成するにあたり、施錠姿勢のラッチとストライクとのあいだの隙間を、主錠装置よりも副錠装置の方が小さくなるようにしたことを特徴とする引き戸における錠装置である。
請求項２の発明は、主錠装置よりも副錠装置の方が小さくなる施錠姿勢のラッチとストライクとのあいだの隙間は、出入り口の出入り方向の隙間であることを特徴とする請求項１記載の引き戸における錠装置である。
請求項３の発明は、主錠装置よりも副錠装置の方が小さくなる施錠姿勢のラッチとストライクとのあいだの隙間は、引き戸の移動方向の隙間であることを特徴とする請求項１または２記載の引き戸における錠装置である。
請求項４の発明は、副錠装置のストライクのラッチ係止面に調整板を設けることで施錠姿勢のラッチとストライクとのあいだの隙間を、主錠装置よりも副錠装置の方が小さくなるようにしたことを特徴とする請求項３記載の引き戸における錠装置である。
【発明の効果】
【０００６】
請求項１の発明とすることにより、夏場のように引き戸中央部位の熱反りが大きい場合、中央部位にある主錠装置の施錠ができるが、これよりも上下方向何れかに偏倚した副錠装置は熱反りが小さいため確実な施錠ができる一方、冬場のように引き戸中央部位の熱反りの少ない場合、上下何れか一方に偏倚した副錠装置の施錠により引き戸のガタツキが少なくなる。
請求項２の発明とすることにより、冬場のように引き戸中央部位の熱反りの少ない場合の引き戸の出入り口出入り方向のガタツキを低減できることになる。
請求項３の発明とすることにより、冬場のように引き戸中央部位の熱反りの少ない場合の引き戸の移動方向のガタツキを低減することができる。
請求項４の発明とすることにより、施錠姿勢のラッチとストライクとのあいだの隙間調整が調整板を用いることでできるため、錠装置側は共有化できることになる。
【図面の簡単な説明】
【０００７】
【図１】引き戸の概略正面図である。
【図２】引き戸の出入り口部位の縦断面図である。
【図３】引き戸の袖壁部位の縦断面図である。
【図４】引き戸の横断面図である。
【図５】四方枠の正面図である。
【図６】（Ａ）（Ｂ）（Ｃ）は吊り金具を上フレームに取付ける状態を示す作用説明側面図である。
【図７】（Ａ）（Ｂ）（Ｃ）は上廻りケースの背面図、出入り口部位の縦断面図、袖壁部位の縦断面図である。
【図８】（Ａ）は上側戸尻ストッパ部位の正面説明図、（Ｂ）（Ｃ）は下側戸尻ストッパの側面説明図、正面説明図である。
【図９】戸尻煙返し部の水平断面図である。
【図１０】（Ａ）（Ｂ）は主錠装置の正面図、ストライクの正面図、（Ｃ）（Ｄ）は副錠装置の正面図、ストライクの正面図である。
【発明を実施するための形態】
【０００８】
以下、本発明の実施の形態について、図面に基づいて説明する。図中、１は引き戸であって、該引き戸１は、出入り口に設けられた四方枠（四周枠）２の上枠２ａおよび外壁３の屋外側面部に設けられた後述するハンガーレール４に引き戸１の上面に設けた走行ローラ５が転動することで出入り口を閉鎖する姿勢と、引き戸1を開放した引き込み部で該引き戸１が対向する袖壁部３ａに至って出入り口を開放する姿勢とのあいだを開閉移動できるようになっていること等は何れも従来通りである。因みに、外壁３の戸袋部位は戸袋がなく、そのまま袖壁部３ａが露出するものとなっている。
【０００９】
前記四方枠２は、前記上枠２ａに、戸先側縦枠２ｂ、戸尻側縦枠２ｃ、下枠２ｄを用いて構成されるが、予め工場で組み立てられたり現場で組み立てられたものが用いられ、これが組み付けられるようになっている。上枠２ａには、引き戸１の上端部とのシール性を確保するべくシール材６を取付けるための取付け金具７が屋外側に固定されるが、該取付け金具７には、上枠２ａの上面に固定される固定片７ａと、該固定片７ａの屋外側端から立上っていてシール材６を取付けるための取付けスペースを形成する屋外側立上り片７ｂと、固定片７ａの屋内側端から立上った屋内側立上り片７ｃとを備えて構成されている。
【００１０】
８は前記四方枠２を躯体側に吊り固定するための吊り金具であって、該吊り金具８は、縦板状の本体部８ａと、該本体部８ａの上端から屋内側に向けて折曲された屋内側折曲片部８ｂと、該折曲片部８ｂの屋内側端から起立された起立片部８ｃと、該起立片部８ｃの上端からさらに屋内側に折曲され、外壁３の出入り口上縁部に固定の上フレーム９に後述するよう吊り固定される吊り固定片部８ｄと、該吊り固定片部８ｄの屋内側端から下方に向けて折曲される係止片部８ｅと、本体部８ａの下端部一側辺から屋外側に向けて折曲された屋外側折曲片部８ｆと、該屋外側折曲片部８ｆから本体部８ａに対向するように折曲され、前記取付け金具７の屋内側取付け片７ｃにビス１０を介して固定される固定片部８ｇとを備えて構成され、本体部８ａと屋内側折曲片部８ｂとのあいだには補強片部８ｈが梁状に設けられ、さらに本体部８ａには、Ｌ字形になった係止片８ｉが屋外側に向けて突設され、該係止片８ｉの上側には長孔状のボルト貫通孔８ｊが穿設され、吊り固定部８ｄには、係止片部８ｅから開口し、起立片部８ｃに至って前位置にまで至るボルト貫通溝８ｋが形成されている。
さらに吊り金具本体部８ａの下部屋内側面にはＬ字形をした取付け金具１１の一片がビス１０ａを介して取付けられているが、該取付け金具１１の屋内側に延びる他片にはナット１１ａが溶着されている。
【００１１】
そして四方枠２は次のようにして上フレーム９に吊り固定されるようになっている。前述したように、吊り金具８は、四方枠上枠２ａに固定の取付け金具７の屋内側立上り片７ｃの左右両端部にビス１０を介して固定片部８ｇが固定されることで組付け固定されている一方、上方が開口したＣ形鋼で形成される上フレーム９の跨片９ａを貫通するボルト１２は、ボルト頭１２ｂが跨片９ａの下面から間隙Ｘを存する（離間する）状態で跨片９ａの上面に当接（載置）するナット１２ａに螺子部１２ｃの先端（上端）が螺入する非緊締状態になっている（図６（Ａ）参照）。この状態で、四方枠２を持ち上げて係止片部８ｅを前記間隙Ｘに入り込むように移動し、ボルト貫通溝８ｋをボルト螺子部１２ｃに差し込んで（外嵌して）いって係止片部８ｅをボルト螺子部１２ｃに外嵌した四角形状の平座金１２ｄを超えた位置まで移動する。この状態で手を放すと、四方枠２は、係止片部８ｅが平座金１２ｄに係止した仮保持状態となって吊持状に保持される（図６（Ｂ）参照）。
ついで四方枠２を、ボルト貫通溝８ｋの溝奥部にボルト螺子部１２ｃが位置するよう屋内側に移動させ、この状態でボルト１２を上側に向けて締め上げることで吊り固定片部８ｄが上フレーム跨片９ａに当接することになって四方枠２の上フレーム９への吊り固定ができるようになっている（図６（Ｃ）参照）。
【００１２】
このようにして吊り固定された吊り金具８の屋外側面および袖壁部３ａに、前記ハンガーレール４等の各種部材が組み込まれた上廻りケース１３を組付けることになるが、該上廻りケース１３は、上面板１３ａ、屋外側板１３ｂ、屋内側板１３ｃ、下面板１３ｄを備えて構成されるが、屋外側板１３ｂは着脱自在となっていて点検口として開口できるようになっている。
屋内側板１３ｃには、前記吊り金具係止片８ｉが遊嵌状に嵌入する係止孔１３ｅが形成されており、そして上廻りケース１３は、係止孔１３ｅに係止片８ｉを嵌入させた状態で手を放すと、係止片８ｉの上辺に係止孔１３ｅの上縁が係止する仮保持状態となり、この状態でボルト貫通孔８ｊから挿入したボルト１４を屋内側板１３ｃ側のナット１４ａに螺入緊締することで吊り金具８側での取付けができるようになっている。尚、１３ｇはボルト孔である。
一方、袖壁部３ａ側への取付けについては、屋内側板１３ｃに穿設のビス孔１３ｆを貫通したビス１０ｂを袖壁部３ａを貫通し、袖壁部３ａの屋内側面に設けたフレーム材１５に螺入することで取付けられるようになっている。
【００１３】
さらに、前記走行ローラ５は引き戸１の上端縁に取付けられ、ハンガーレール４は、取付け部材１７を介して上廻りケース１３に内装されるが、取付け部材１７にはダンパＤが設けられ、引き戸１の上端縁にはダンパブラケット１６が設けられていて、全閉時、ダンパＤがダンパブラケット１６に当接することで衝撃を吸収するようになっている。
【００１４】
上廻りケース１３の戸尻側部位には、具体的に本実施の形態では前記取付け部材１７に、上廻りケース１３に内装される状態で取付け体１８ａを介して上側の戸尻ストッパ１８が設けられている。そして引き戸１が全開した場合に、前記ダンパブラケット１６の戸尻側端縁１６ａが上側戸尻ストッパ１８に当接して全開時の衝撃緩衝をするようになっている。
【００１５】
一方、四方枠下枠２ｄの戸尻側端部には、引き戸１の下端縁部に形成の下方が開口した冂字形のガイド溝１ａに遊嵌する振れ止め体（ローラ）１９が遊嵌していて引き戸１の振れ止めをするようになっているが、該振れ止め体１９は、引き戸１が全閉しているときには引き戸ガイド溝１ａの戸尻側部位に内嵌し、全開しているときには引き戸ガイド溝１ａの戸先側部位に内嵌していて開閉位置に拘わらず外部に露出しない構成になっているが、振れ止め体１９を固定部材であるナット１９ａを介して取付ける際に共締めされるブラケット２０ａに下側戸尻ストッパ２０が設けられているが、該下側戸尻ストッパ２０は、引き戸１が全開した場合に、引き戸ガイド溝１ａの戸先側部位に設けた係止部材２１が当接して全開時の衝撃吸収をするようになっている。
因みにストッパ１８、２０については、取付け体１８ａ側、ブラケット２０ａ側でなく、ダンパブラケット１６側、係止部材２１側に設けてもよく、さらには互いに対向する両者に設けてもよい。
【００１６】
さらに四方枠２の戸尻側縦枠２ｃには、屋外側に向けて匸字形に折曲形成していてその屋外側コーナー部２ｅにシール材６ａが組み込まれた突出片２ｆが設けられている。一方、引き戸１の戸尻側端部の屋内側面にはアングル材２２が取付けられるが、該アングル材２２は、引き戸１の屋内側面に当接する屋外側板２２ａと、該屋外側板２２ａの戸尻側端から屋内側に折曲した跨板２２ｂと、該跨板２２ｂから戸先側に折曲した屋内側板２２ｃとから構成されており、屋外側板２２ａがビス２２ｄを介して引き戸１の屋内側面に固定されているが、屋内側板２２ａは、幅広に形成され、その先端部が折り返し状に形成され、引き戸１の全閉時に前記シール材６ａに当接して気密機能を発揮するための気密付与部２２ｅが形成されているため、専用の気密付与部材を設ける必要がなく、部品点数が減少する。
また引き戸１の戸尻側端には、該戸尻側端部およびアングル材２２を戸尻側から戸先側に向けて外嵌する状態で戸尻煙返し材２３がビス２３ａを介して引き戸１およびアングル材２２に固定されているが、戸尻煙返し材２３の屋内側片２３ｂは、引き戸１が全閉したとき、戸尻側縦枠２ｃの屋外側面と四方枠突出片２ｆの屋内側面との隙間に嵌合して全閉時の煙返しをするようになっている。
【００１７】
またさらに引き戸１には、上下方向中央部位とこれよりは上下方向に偏倚した位置に主錠装置２４と副錠装置２５とが設けられるが、これら錠装置２４、２５は、摘み２４ａ、２５ａを操作することで鎌形をしたラッチ２４ｂ、２５ｂが下側から上側に向けて突出し、戸先側縦枠２ｂに設けたラッチ受け２４ｃ、２５ｃのストライク２４ｄ、２５ｄに設けた貫通孔２４ｅ、２５ｅを回り込むようにして係止することで施錠されることになるが、主錠装置２４の貫通孔２４ｅの出入り口の出入り方向の幅は、副錠装置２５の貫通孔２５ｅの出入り口の出入り方向の幅よりも大きくなっており、これによって施錠状態のラッチ２４ｂ、２５ｂとストライク貫通孔２４ｅ、２５ｅとあいだの出入り口出入り方向の隙間（ラッチを中心にして出入り口の出入り方向両側の隙間）が主錠装置２４の方が副錠装置２５よりも大きくなるように設定されている。因みに、主錠装置２４のストライク２４ｄは挟み込み式で取付けられていて上下左右の取付け位置の調節ができるようになっている。
また、施錠姿勢のラッチ２４ｂ、２５ｂとストライク２４ｄ、２５ｄとのあいだの引き戸開閉移動方向の隙間について、副錠装置２５のストライク２５ｄの施錠姿勢のラッチ２５ｂ対向面に調整板２５ｆを設けることで主錠装置２４よりも副錠装置２５の方が小さくなるように設定されている。
そしてこのように、出入り口出入り方向および引き戸１の開閉方向の隙間を主錠装置２４の方が副錠装置２５よりも大きくすることで、夏場のように引き戸１が大きく熱反りした場合に、熱反りの大きい中央部位に設けられる主錠装置２４の施錠に支障をきたすことがない一方、熱反りの小さい上下方向に偏倚した部位に設けられる副錠装置２５の施錠は確実に行われる。また冬場のように引き戸１の中央部位の熱反りが小さいときには、副錠装置２５において、貫通孔２５ｅとラッチ２５ｂとの出入り口出入り方向の隙間及び引き戸移動方向の隙間が、主錠装置２４の隙間よりも小さくなっているため、施錠時の該両方向のガタツキを低減することができる。
【００１８】
叙述の如く構成された本実施の形態において、夏場のように引き戸に大きな熱反りがあった場合、上下方向中央部位は熱反りが大きくこれよりも上下方向に偏倚した位置では熱反りが小さいことを利用し、熱反りが大きい部位にある主錠装置２４は確実な施錠ができ、一方熱反りが小さい部位にある副錠装置２５の施錠性も損なわれることがない。
これに対し、冬場のように熱反りが小さい場合、副錠装置２５のラッチ２５ｂは、ストライク２５ｄとのあいだに隙間が小さい状態で係止することになり、施錠時の前記両方向のガタツキを防止することができる。
【００１９】
しかもこのものでは、主、副錠装置２４、２５において、ストライク２４ｄ、２５ｄに穿設する貫通孔２４ｅ、２５ｅの出入り口出入り方向の大きさ（幅）を大小異ならしめる一方、副錠装置２５側のストライク２５ｄに調整板２５ｆを設けることで引き戸移動方向の隙間調整をしているため、引き戸に設けられる錠本体側は変更することがなく、ストライク側のみを異ならしめたものとできるため、部品の兼用化ができることになる。
因みに、前記実施の形態では、主錠装置２４の貫通孔２４ｅの出入り口の出入り方向の幅を、副錠装置２５の貫通孔２５ｅの出入り口の出入り方向の幅よりも大きくすることで該方向の隙間を大小異ならしめているが、貫通孔２４ｅ、２５ｅの該方向の幅は同じとし、ラッチ２４ｂ、２５ｂの出入り口出入り方向の厚さについて、主錠装置２４の方が副錠装置２５よりも薄くすることでも実施することができる。またラッチ２４ｂ、２５ｂとストライク２４ｄ、２５ｄの引き戸移動方向の隙間について、ストライク２４ｄに調整板２５ｆを取付けることで隙間を大小異ならしめているが、副錠装置２５のラッチ２５ｂのストライク２５ｄ対向面をストライク２５ｄ側に近接する構成にすることでも実施することができる。
【産業上の利用可能性】
【００２０】
本発明は、出入り口に建て付けられる引き戸における錠装置として利用することができる。
【符号の説明】
【００２１】
１  引き戸
２４  主錠装置
２４ｂ  ラッチ
２４ｄ  ストライク
２４ｅ  貫通孔
２５  副錠装置
２５ｂ  ラッチ
２５ｄ  ストライク
２５ｅ  貫通孔
【図１】
2015175098.tif 000003
【図２】
2015175098.tif 000004
【図３】
2015175098.tif 000005
【図４】
2015175098.tif 000006
【図５】
2015175098.tif 000007
【図６】
2015175098.tif 000008
【図７】
2015175098.tif 000009
【図８】
2015175098.tif 000010
【図９】
2015175098.tif 000011
【図１０】
2015175098.tif 000012